(57)【要約】【課題】  従来の６軸の顎運動を捕らえる考え方に加えて、上顎のあおり（重力方向及び正面方向と垂直な軸を中心とする回転）と、上顎の回転（正面方向の軸を中心とする回転）との２軸をくわえて８軸の計測を行う計測手法を利用することにより、正しい歯列の形状及び咬合状態を計測することができる歯科用トレー、並びに、それを用いた歯科用装置及び歯科模型を提供する。【解決手段】  上顎の歯列の一部、又は、全部の形状を計測する歯列計測手段３、４を有する歯科用トレー１であって、前記形状を計測するときの基準とする重力方向及び正面方向を計測するための方向情報参照手段２、４を有することを特徴とする。【選択図】図１
2007209607.tif 000002
【特許請求の範囲】
【請求項１】
上顎の歯列の一部、又は、全部の形状を計測する歯列計測手段を有する歯科用トレーであって、
前記形状を計測するときの重力方向及び正面方向を計測するための方向情報参照手段を有することを特徴とする歯科用トレー。
【請求項２】
前記歯列計測手段は、前記形状を記憶するとともに、
前記方向情報参照手段は、前記重力方向及び正面方向を記憶することを特徴とする請求項１に記載の歯科用トレー。
【請求項３】
請求項１又は２に記載の歯科用トレーを備える歯科用装置であって、
前記方向情報参照手段を用いて、前記重力方向及び正面方向を記憶するか、又は、記憶させる方向情報計測手段を備えることを特徴とする歯科用装置。
【請求項４】
前記方向情報計測手段は、前記重力方向及び正面方向を示す凹凸形状を有する転写プレートを備え、
前記方向情報参照手段は、前記凹凸形状を転写されることを特徴とする請求項３に記載の歯科用装置。
【請求項５】
前記方向情報計測手段は、光線を照射するとともに検知する光学装置を備え、
前記方向情報参照手段は、前記光線を反射することを特徴とする請求項３に記載の歯科用装置。
【請求項６】
被験者の頭蓋の位置と骨盤の位置とを規制する診療用いすを備えることを特徴とする請求項３〜５のいずれか１項に記載の歯科用装置。
【請求項７】
請求項１又は２に記載の歯科用トレーを用いて製造された歯科模型であって、
前記重力方向及び正面方向を記憶していることを特徴とする歯科模型。
【発明の詳細な説明】
【技術分野】
【０００１】
本発明は、歯科用トレー、並びに、それを用いた歯科用装置及び歯科模型に関する。
【背景技術】
【０００２】
歯科用トレーは、上顎及び下顎の歯列の一部、又は、全部の形状を計測するために用いられる。例えば、印象材が塗布された歯科用トレーを被験者に噛ませて、被験者の歯列を印象材に接触させる。そして、被験者の歯列を印象材に接触させた状態で印象材を硬化させることにより、歯列の形状（所謂、印象）を採得するものである（例えば、特許文献１参照）。その後、採得された歯列の形状から、歯列模型等を作製したりすることになる。
【特許文献１】特開２００１−２７６０９４号公報
【発明の開示】
【発明が解決しようとする課題】
【０００３】
しかしながら、このように採得された歯列の形状から、歯列模型を作製する際に、医師と技工士との間で補綴物位置付けの認識が相違したり、エラーが発生したりすることがあった。つまり、このように採得された歯列の形状から、本来あるべき歯列の形状及び咬合状態を把握することができなかった。
【０００４】
そこで、このように採得された歯列の形状から、正しい歯列の形状及び咬合状態を把握することができない原因を、本発明者らの研究により明らかにした。すなわちこれは、立ったり、いすに座ったり、またその場合でも椅子の背もたれの角度など、姿勢の影響をうけて咬合位が変化する。また無意識のうちに脳が最も早く当たる点（早期接触）を感じ取り、前後左右のバランスをあわせようと、頭蓋や下顎の位置を偏位させてしまうなどの理由でも、微妙に咬合位が変化するからである。よって、頭蓋や全身の骨格、姿勢をコントロールしたうえで歯列形状や咬合位を計測することで、本来あるべき歯列形状や咬合状態を把握できることが、本発明者らの長年の研究により確かめられている。
【０００５】
顎運動計測の考え方においては、上顎に対する下顎の相対的な６軸運動の情報を計測することが一般的であった。
【課題を解決するための手段】
【０００６】
本発明者らは、従来の６軸の顎運動を捕らえる考え方に加えて、上顎のあおり（重力方向及び正面方向と垂直な軸を中心とする回転）と、上顎の回転（正面方向の軸を中心とする回転）との２軸をくわえて８軸の計測を行う計測手法を見出し、発明を完成させた。
すなわち、本発明の歯科用トレーは、上顎の歯列の一部、又は、全部の形状を計測する歯列計測手段を有する歯科用トレーであって、前記形状を計測するときの重力方向及び正面方向を計測するための方向情報参照手段を有するようにしている。
ここで、「正面方向」とは、被験者の正面の方向のことをいい、例えば、まっすぐにさせた視線の方向のことをいう。
【発明の効果】
【０００７】
本発明の歯科用トレーによれば、上顎の歯列の一部、又は、全部の形状を計測するときの重力方向及び正面方向を計測することにより、上顎のあおりと上顎の回転とを把握することができるので、従来の６軸の顎運動の計測の考え方に対して、上顎のあおりと上顎の回転との２軸の計測を加えたシミュレーションを行うことができる。つまり、正しい歯列の形状及び咬合状態を計測することができる。
【０００８】
（その他の課題を解決するための手段および効果）
また、本発明の歯科用トレーにおいては、前記歯列計測手段は、前記形状を記憶するとともに、前記方向情報参照手段は、前記重力方向及び正面方向を記憶するようにしてもよい。
このような本発明の歯科用トレーによれば、形状を記憶するとともに、重力方向及び正面方向を記憶しているので、歯科用トレーのみを用いて、正しい歯列の形状及び咬合状態の情報を得ることができる。
【０００９】
また、本発明の歯科用装置においては、上述した歯科用トレーを備える歯科用装置であって、前記方向情報参照手段を用いて、前記重力方向及び正面方向を記憶するか、又は、記憶させる方向情報計測手段を備えるようにしてもよい。
このような本発明の歯科用装置によれば、歯科用トレーの構造を軽量化できるので、被験者は歯科用トレーを挿入した状態で、楽に印象材を硬化させることができる。
【００１０】
また、本発明の歯科用装置においては、前記方向情報計測手段は、前記重力方向及び正面方向を示す凹凸形状を有する転写プレートを備え、前記方向情報参照手段は、前記凹凸形状を転写されるようにしてもよい。
このような本発明の歯科用装置によれば、歯科用トレーの構造を軽量化できるので、被験者は歯科用トレーを挿入した状態で、楽に印象材を硬化させることができる。
そして、その後、歯科用トレーが形状を記憶するとともに、重力方向及び正面方向を記憶しているので、歯科用トレーのみを用いて、正しい歯列の形状及び咬合状態の情報を得ることができる。
【００１１】
そして、本発明の歯科用装置においては、前記方向情報計測手段は、光線を照射するとともに検知する光学装置を備え、前記方向情報参照手段は、前記光線を反射するようにしてもよい。
このような本発明の歯科用装置によれば、光学装置により重力方向及び正面方向を瞬時に記憶できるので、被験者は歯科用トレーを挿入した状態で、楽に印象材を硬化させることができる。
【００１２】
そして、本発明の歯科用装置においては、被験者の頭蓋の位置と骨盤の位置とを規制する診療用いすを備えるようにしてもよい。
このような本発明の歯科用装置によれば、被験者の頭蓋の位置と骨盤の位置とを規制することにより、被験者の個々の脊椎の生理的湾曲を保障して、筋肉の緊張を可及的に緩和させることができる。よって、被験者を診療用いすに着座させて、計測することにより、人体のバランスを総合的に追求することができるので、より正しい歯列の形状及び咬合状態の情報を得ることができる。
【００１３】
さらに、本発明の歯科模型においては、上述した歯科用トレーを用いて製造された歯科模型であって、前記重力方向及び正面方向を記憶しているようにしてもよい。
このような本発明の歯科模型によれば、上顎のあおりと上顎の回転との情報もコンピュータに入力することにより、コンピュータで重力方向に対する下顎の運動を再現することができる。
よって、歯列模型を作製する際に、従来の６軸の顎運動の計測の考え方に対して、上顎のあおりと上顎の回転との２軸の計測を加えたシミュレーションを行うことができるので、医師と技工士との間で補綴物位置付けの認識が相違したり、エラーが発生したりすることがない。
【発明を実施するための最良の形態】
【００１４】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００１５】
まず、歯列の形状と重力方向及び正面方向とが記録された歯科用トレー１を作製する方法について説明する。
図１（ａ）は、本発明の一実施形態である歯科用トレーを示す平面図である。図１（ｂ）は、図１（ａ）に示すＡ−Ａ線の断面図である。
歯科用トレー１は、板状体である。板状体の上面の一端に、凹部３を有するとともに、板状体の上面の他の一端付近に、凹部２を有する。
【００１６】
凹部３は、上顎の歯列の一部、又は、全部の形状を計測するものである。凹部３に印象材が入れられる。つまり、歯列計測手段３は、凹部３と印象材とで構成される。なお、上顎の歯列の一部、又は、全部の形状を計測するときには、凹部３は、被験者の口の内に挿入される。
【００１７】
凹部２は、上顎の歯列の一部、又は、全部の形状を計測するときの重力方向及び正面方向を計測するためのものである。凹部２に印象材が入れられる。つまり、方向情報参照手段２は、凹部２と印象材とで構成される。なお、上顎の歯列の一部、又は、全部の形状を計測するときには、凹部２は、被験者の口の外に配置される。
【００１８】
また、図２（ａ）は、本発明に係る方向情報計測器具の一例を示す側面図である。図２（ｂ）は、図２（ａ）に示す方向情報計測器具の正面図であり、図２（ｃ）は、図２（ａ）に示す方向情報計測器具の下面図である。
方向情報計測器具５は、板状体の上面の中心に、柱状体が直立するように形成されるとともに、板状体の下面の中央に、断面がＶ字状である凸部６が板状体の下面の一端から他端まで一直線に伸びるように形成されている。つまり、一直線状の凸部６は、正面方向を示すことになる。
なお、上顎の歯列の一部、又は、全部の形状を計測するときには、方向情報計測器具５は、印象材が入れられた凹部２に回転せずにかつ垂直に挿入される。このとき、方向情報計測器具５は、凸部６（正面方向を示すことになる）と重力方向と被験者の正面方向との関係がわかるように、例えば、診療用いす等に取り付けられて、使用される。
【００１９】
次に、図３を用いて、歯科用トレー１及び方向情報計測器具５の使用方法の一例について説明する。
まず、凹部３と凹部２とに、印象材４を入れる。上記印象材としては、例えば、アルギン酸等が挙げられる。
次に、被験者の視線がほぼ水平になるように被験者の頭を手や器具等で固定しながら、印象材４が入れられた凹部３を被験者の口に挿入し、被験者の歯列を印象材４に接触させる。このとき、印象材４が入れられた凹部２に、方向情報計測手段５の凸部６が、正面方向を示すとともに、重力方向と垂直となるように挿入する。
そして、被験者の歯列を印象材４に接触させた状態で印象材４を硬化させることにより、印象材４に歯列の形状が記録される。このとき、方向情報計測器具５の凸部６も印象材４に接触させた状態で印象材４を硬化させることにより、印象材４に凸部６（重力方向及び正面方向）も記録される。
このようにして、歯列の形状と重力方向及び正面方向とが記録された歯科用トレー１が得られる。
【００２０】
次に、歯列の形状と重力方向及び正面方向とが記録された歯科用トレー１から、歯列の形状と重力方向及び正面方向とが記録された歯列模型を作製する方法の一例について説明する。
図４（ａ）は、本発明に係る歯列模型形成器具の一例を示す側面図である。図４（ｂ）は、図４（ａ）に示す歯列模型形成器具の下面図であり、図４（ｃ）は、図４（ａ）に示す歯列模型形成器具の正面図である。
印象形成器具１１は、２つの略直方体が結合されたものであり、一の略直方体の下面に凸部１２を有するとともに、他の略直方体の下面に凸部１３を有する。
【００２１】
歯列模型形成器具１１の凸部１２は、方向情報計測器具５の凸部６と同様の形状である。つまり、方向情報計測器具５の凸部６が記録された印象材４に、歯列模型形成器具１１の凸部１２を挿入することができる。
【００２２】
歯列模型形成器具１１の凸部１３は、断面がＶ字状である凸部が一直線に伸びるように形成されている。さらに、歯列模型形成器具１１の凸部１３は、歯列模型形成器具１１の凸部１２と同方向となるように形成されている。
なお、方向情報計測器具５の凸部６が記録された印象材４に、歯列模型形成器具１１の凸部１２を挿入したときには、歯列模型形成器具１１の凸部１３は、歯列の形状が記録された印象材４の上方に配置されるように形成されている。このときには、凸部１３も、重力の方向及び正面方向を示すことになる。
【００２３】
次に、図５を用いて、歯科用トレー１及び歯列模型形成器具１１の使用方法の一例について説明する。なお、図６は、歯列の形状と重力方向及び正面方向とが記録された歯列模型の一例の斜視図である。
まず、歯列の形状が記録された印象材４に、石膏材１５を入れる。上記石膏材としては、例えば、石膏等が挙げられる。
次に、方向情報計測器具５の凸部６が記録された印象材４に、歯列模型形成器具１１の凸部１２を挿入する。このとき、歯列の形状が記録された印象材４に入れられた石膏材１５は、歯列模型形成器具１１の凸部１３に押さえつけられる。
そして、歯列模型形成器具１１の凸部１３と歯列の形状が記録された印象材４とで挟まれた石膏材１５を硬化させることにより、歯列の形状と重力方向及び正面方向とが記録された歯列模型２０が得られる。
【００２４】
次に、歯科用トレーと、方向情報計測器具と、被験者の頭蓋の位置と骨盤の位置とを規制する診療用いすとを備える歯科用装置の一例について説明する。
図７は、本発明に係る歯科用装置の一例を示す側面図である。図８は、図７に示す歯科用装置の背面図であり、図９は、図７に示す歯科用装置のＡ−Ａ線の断面図であり、図１０は、図７に示す歯科用装置のＢ−Ｂ線の断面図であり、図１１は、図７に示す歯科用装置のＣ−Ｃ線の断面図である。
【００２５】
歯科用装置４０は、上述した歯科用トレー１と、診療用いす５０と、歯科用トレー計測機構４１とを備える。診療用いす５０には、床面Ｆに据え付けられる基板５１に対して鉛直方向にコラム５２が固定されている。さらに、コラム５２には、座席支持体５３の基端が固定されているとともに、下から順に骨盤・膝位置規制機構５４、腰椎押圧機構５５、脇位置規制機構５６、頭蓋位置規制機構５７が取り付けられている。
【００２６】
なお、コラム５２は重力方向となるように正確に立設される必要がある。このため、例えば、基板５１の下方に水平調整用の脚を設けるとともに、コラム５２の内部に重錘を垂らし、その周囲にリングを配するように構成する。これにより、重錘がリングの中央に位置するように水平調整用の脚を調整することで、コラム５２が重力方向となるように正確に立設する。
【００２７】
また、先端部が分かれた略Ｕ字形をしている座席６０の表面（座面）の角度は、座席支持体５３の水平面に対して、変化するように形成されている。
座席支持体５３の上面の先端部には、座席６０の先端部が２つのヒンジ５９ｄを介して移動可能に支持されている。一方、座席支持体５３の下面の後端部には、ピニオン５９ａがピローブロック等によって回転自在に支持されている。ピニオン５９ａはハンドル５９ｂの操作により回転する。さらに、ピニオン５９ａには鉛直方向に伸びるラック５９ｃが噛み合っている。そして、ラック５９ｃの上端部に、座席６０の後端部がピン接合されている。つまり、ハンドル５９ｂを操作してピニオン５９ａを回転させることによって、ラック５９ｃを上下動することが可能となる。これにより、座席６０の表面（座面）の角度を水平面に対して変化させることができる。
【００２８】
足裏当接板６２は、被験者が座席６０に座った状態で、両足の裏を密着できるように形成されている。
基板５１には、２本の鉛直ガイド６１ａが固定されているとともに、ハンドル６１ｂを有するねじ６１ｃが回動自在に固定されている。さらに、足裏搭載板６２が、２本の鉛直ガイド６１ａとねじ６１ｃとにより、３点支持される。なお、足裏搭載板６２は、ブッシュ６２ａを介して各鉛直ガイド６１ａに摺動自在に形成されるとともに、固着されたナット（図示せず）を介してねじ６１ｃにねじ込まれている。つまり、ハンドル６１ｂを操作してねじ６１ｃを回転させることによって、足裏搭載板６２は水平を保った状態で上下動することが可能となる。これにより、座席６０の座面と足裏搭載板６２の表面との鉛直方向距離を変化させることができる。
【００２９】
骨盤・膝位置規制機構５４、腰椎押圧機構５５、脇位置規制機構５６、頭蓋位置規制機構５７及び歯科用トレー計測機構４１は、それぞれコラム５２に沿って上下動するための上下動機構を有する。
また、骨盤・膝位置規制機構５４、脇位置規制機構５６及び頭蓋位置規制機構５７は、それぞれ、被験者の該当部位に左右から当接して該当部位の位置を決めるための一対の当接部材と、その一対の当接部材を左右から中心面に向かって等量ずつ互いに接近／離隔するための接近／離隔機構とを有する。
ここで、中心面とは、コラム５２が示す鉛直方向（重力方向）と、後述する正面方向を含む所定の平面のことをいう。
【００３０】
また、骨盤・膝位置規制機構５４は、上下動機構と、接近／離隔機構と、接近／離隔機構により左右から中心面に向かって等量ずつ互いに接近／離隔する一対のアーム５４ａと、被験者の骨盤に左右から当接するために各アーム５４ａの内側に固定されている骨盤当接部材５４ｂとを有するとともに、中心面に４５度で開くように各アーム５４ａの先端に形成された屈曲部５４ｃとを有する。これにより、座席６０に座った被験者の骨盤に対し、一対のアーム５４ａを左右から接近／離隔させることにより、骨盤当接部材４ｂを左右から当接させることが可能となる。このとき、被験者の両足の外側を屈曲部５４ｃに当接させることにより、両足を４５度で開かせた状態とすることも可能となる。
【００３１】
また、脇位置規制機構５６は、上下動機構と、接近／離隔機構と、接近／離隔機構により左右から中心面に向かって等量ずつ互いに接近／離隔する一対のアーム５６ａとを有する。これにより、座席６０に座った被験者の各脇に対し、一対のアーム５６ａを左右から接近／離隔させることにより、アーム５６ａを左右から当接させることが可能となる。すなわち、被験者の胴体の位置が規制される。
【００３２】
また、頭蓋位置規制機構５７は、上下動機構と、接近／離隔機構と、接近／離隔機構により左右から中心面に向かって等量ずつ互いに接近／離隔する一対のアーム５７ａと、被験者の耳を迂回して頬骨弓近傍に左右から当接するために一対の各アーム５７ａの内側に形成された頭蓋当接部材５７ｂと、頭蓋前後位置規制部材５８とを有する。なお、各アーム５７ａに対する頭蓋当接部材５７ｂの位置は、前後に調節を可能とする。また、コラム５２に対する頭蓋前後位置規制部材５８の位置も、前後に調節を可能とする。これにより、座席６０に座った被験者の頭蓋に対し、一対のアーム５７ａを左右から接近／離隔させることにより、頭蓋当接部材５７ｂを左右から当接させるとともに、頭蓋前後位置規制部材５８の位置を前後に調節することにより、頭蓋前後位置規制部材５８を後ろから当接させることが可能となる。すなわち、被験者の頭蓋の位置が規制される。
【００３３】
また、腰椎押圧機構５５は、筐体５５ａと、筐体５５ａに固着されたナット５５ｂと、ナット５５ｂにねじ込まれたねじ５５ｃと、筐体５５ａに対してブッシュ５５ｄを介して軸方向に摺動自在に支持されたガイドバー５５ｅと、ガイドバー５５ｅに対してねじ止めされ、かつ、ねじ５５ｃを軸受５５ｆを介して回動自在に支持する押圧部材５５ｇとを有する。なお、ねじ５５ｃは、ハンドル５５ｈの操作により回転させることが可能である。これにより、座席６０に座った被験者の腰椎の適宜箇所に対し、押圧部材５５ｇを後ろから当接させることが可能となる。すなわち、被験者の腰椎の位置が規制される。
【００３４】
また、歯科用トレー計測機構４１は、上下動機構と、アーム４１ａと、方向情報計測手段固定部４２とを有する。また、歯科用トレー計測機構４１は、コラム５２の上部に取り付けられる。
方向情報計測手段固定部４２には、方向情報計測器具５が固定されている。なお、方向情報計測器具５の凸部６は、重力方向と垂直となり、かつ、正面方向となるように固定されている。つまり、重力方向と正面方向とを含む所定の平面である中心面を作成するように、方向情報計測器具５を方向情報計測手段固定部４２に固定することになる。
アーム４１ａは、方向情報計測手段固定部４２の位置を、前後に調節することを可能とするとともに、上下に調節することも可能とする。このとき、方向情報計測器具５の凸部６が示す方向は、常に一定の方向を示すように形成されている。すなわち、重力の方向と正面方向とを含む所定の平面である中心面は、常に一定である。
【００３５】
次に、歯科用装置４０の使用方法の一例について説明する。
まず、被験者を座席６０の座面に座らせた後、足裏搭載板６２を上下動させることにより、被験者の両足の裏が足裏搭載板６２の表面に密着するように調節する。このとき、必要に応じて座面６０の角度を調節する。
【００３６】
次に、骨盤・膝位置規制機構５４を調節することにより、被験者の骨盤の位置を規制するとともに、被験者の両足を中心面に対して４５度で開かせた状態とする。
次に、被験者の腰部（臍の近傍）を前方に出させた姿勢をとらせた状態で、被験者の腰椎の高さに腰椎押圧機構５５の押圧部材５５ｇの高さを合わせ、被験者の腰椎の位置に押圧部材５ｇが当たるように調節する。
【００３７】
次に、脇位置規制機構５６の各アーム５６ｂの幅を被験者の体に適した幅に調節した後、脇位置規制機構５６を下から上へ移動させることにより、被験者の脇の位置で止める。
次に、頭蓋位置規制機構５７の頭蓋押圧部材５７ｂの位置が被験者の左右の頬骨弓の高さになるように調節し、かつ、頭蓋押圧部材５７ｂの前後の位置を調整することにより、頭蓋押圧部材５７ｂの先端が頬骨弓に当たるようにする。このとき、頭蓋前後位置規制部材５８を調節することにより、被験者の視線がほぼ水平になるようにする。
【００３８】
ここで、歯科用トレー１の凹部３と凹部２とに、印象材４を入れる。
次に、印象材４が入れられた凹部３を被験者の口に挿入し、被験者の歯列を印象材４に接触させる。このとき、印象材４が入れられた凹部２に、方向情報計測手段固定部４２の位置を前後上下に調整することにより、方向情報計測器具５の凸部６を挿入する。
そして、被験者の歯列を印象材４に接触させた状態で印象材４を硬化させることにより、印象材４に歯列の形状が記録される。このとき、方向情報計測器具５の凸部６も印象材４に接触させた状態で印象材４を硬化させることにより、印象材４に凸部６（重力方向及び正面方向）も記録される。
このようにして、歯列の形状と重力方向及び正面方向とが記録された歯科用トレー１が得られる。
【００３９】
このような本発明の歯科用装置４０によれば、被験者の各部の位置を規制したときには、被験者の頭蓋の中心と骨盤の中心とが、いずれも中心面に位置した状態とすることができる。また、両足が中心面から４５度で開いた状態で、両足の裏が足裏搭載板１２に密着した状態とすることができる。さらに、頭蓋前後位置規制機構５５と頭蓋前後位置規制部材５８とによる規制により、被験者の骨盤、腰椎、胸椎及び頸椎でＳ字形の生理的湾曲を回復させることができる。つまり、被験者の個々の脊椎の生理的湾曲を保障して、筋肉の緊張を可及的に緩和させることができる。
よって、被験者を診療用いす５０に着座させて、計測することにより、人体のバランスを総合的に追求することができるので、より正しい歯列の形状及び咬合状態の情報を得ることができる。
【００４０】
（他の実施形態）
図１２は、本発明の一実施形態である歯科用トレーの他の一例を示す平面図である。
歯科用トレー１０１は、板状体である。板状体の上面の一端に、凹部１０３を有するとともに、板状体の上面の他の一端付近に、方向情報参照手段である凸部１０２を有する。
なお、凹部１０３は、上述した凹部３と同様のものであるので、説明を省略する。
【００４１】
３つの凸部１０２ａ〜１０２ｃは、上顎の歯列の一部、又は、全部の形状を計測するときの重力方向及び正面方向を計測するためのものである。各凸部１０２ａ〜１０２ｃは、半球状であり、かつ、それぞれが三角形の頂点となるように配置されている。そして、凸部１０２ａ〜１０２ｃは、所定の光線を反射する材料で形成されている。なお、上顎の歯列の一部、又は、全部の形状を計測するときには、凸部１０２は、被験者の口の外に配置される。
一方、方向情報計測器具は、所定の光線を照射するとともに検知する光学装置を有する。このとき、方向情報計測器具は、重力方向と被験者の正面方向との関係がわかるように、例えば、診療用いす等に取り付けられて、使用される。
したがって、被験者の歯列を印象材に接触させた状態で印象材を硬化させたときに、光学装置から凸部１０２ａ〜１０２ｃに向けて所定の光線を照射するとともに、光学装置で凸部１０２ａ〜１０２ｃから反射された所定の光線を検出することにより、重力方向及び正面方向を計測することが可能となる。
【産業上の利用可能性】
【００４２】
本発明は、歯列の形状を計測することができる歯科用トレー、並びに、それを用いた歯科用装置及び歯科模型に利用することができる。
【図面の簡単な説明】
【００４３】
【図１】本発明の一実施形態である歯科用トレーを示す図である。
【図２】本発明に係る方向情報計測器具の一例を示す図である。
【図３】歯科用トレー及び方向情報計測器具の使用方法の一例を示す図である。
【図４】本発明に係る歯科模型形成器具の一例を示す図である。
【図５】歯科用トレー及び歯科模型形成器具の使用方法の一例を示す図である。
【図６】歯列の形状と重力方向及び正面方向とが記録された歯列模型の一例の斜視図である。
【図７】本発明に係る歯科用装置の一例を示す側面図である。
【図８】図７に示す歯科用装置の背面図である。
【図９】図７に示す歯科用装置のＡ−Ａ線の断面図である。
【図１０】図７に示す歯科用装置のＢ−Ｂ線の断面図である。
【図１１】図７に示す歯科用装置のＣ−Ｃ線の断面図である。
【図１２】本発明の一実施形態である歯科用トレーの他の一例を示す平面図である。
【符号の説明】
【００４４】
１、１０１：  歯科用トレー
２、３、１０３：  凹部
４：  印象材
５：  方向情報計測器具
１１：  印象形成器具
１５：  石膏材
２０：  歯列模型
４０：  歯科用装置
１０２：  凸部
【図１】
2007209607.tif 000003
【図２】
2007209607.tif 000004
【図４】
2007209607.tif 000005
【図６】
2007209607.tif 000006
【図７】
2007209607.tif 000007
【図８】
2007209607.tif 000008
【図９】
2007209607.tif 000009
【図１０】
2007209607.tif 000010
【図１１】
2007209607.tif 000011
【図１２】
2007209607.tif 000012
【図３】
2007209607.tif 000013
【図５】
2007209607.tif 000014